(57)【要約】【課題】安定にかつ多種類の記録媒体を識別することができる記録媒体識別装置を提供すること。【解決手段】記録媒体を搬送するための搬送手段と、搬送される記録媒体に接触し、記録媒体との摩擦力により移動する摩擦部材と、前記摩擦部材の移動量を検出する移動量検出手段と、あらかじめ記録媒体の種類ごとの移動量データを記憶しておくための記憶手段と、前記移動量検出手段の出力と前記記憶手段のデータとを比較し、搬送されている記録媒体の種類を識別する識別手段と、を備える。【選択図】　　　　図１
2004106952.tif 000002
【特許請求の範囲】
【請求項１】
記録媒体を搬送するための搬送手段と、搬送される記録媒体に接触し、記録媒体との摩擦力により移動する摩擦部材と、前記摩擦部材の移動量を検出する移動量検出手段と、あらかじめ記録媒体の種類ごとの移動量データを記憶しておくための記憶手段と、前記移動量検出手段の出力と前記記憶手段のデータとを比較し、搬送されている記録媒体の種類を識別する識別手段と、を備えたことを特徴とする記録媒体識別装置。
【請求項２】
前記搬送手段は少なくとも１対の搬送ローラからなり、前記摩擦部材は前記搬送ローラの前段に配置され、記録媒体が弧を描いて通過するように、記録媒体を一定力で押下するための弾力性部材に接続されたことを特徴とする前記請求項１に記載の記録媒体識別装置。
【請求項３】
前記摩擦部材の移動量を検出する移動量検出手段は、摩擦部材に連動するアクチュエータと、前記アクチュエータの移動量を検知する光学素子アレイからなることを特徴とする前記請求項１に記載の記録媒体識別装置。
【請求項４】
前記摩擦部材は記録媒体の識別を行わないときには、記録媒体に接触しないように離脱するための揺動手段を備えたことを特徴とする前記請求項１に記載の記録媒体識別装置。
【請求項５】
前記搬送ローラを記録媒体先端が通過したことを検知する通過検知手段と、記録媒体先端が通過した後に記録媒体識別制御を開始する開始手段を備えることを特徴とする前記請求項１に記載の記録媒体識別装置。
【請求項６】
記録媒体を搬送するための搬送手段と、搬送される記録媒体に接触し、記録媒体との摩擦力により引っ張られる摩擦部材と、前記摩擦部材が引っ張られる力を検出する引張力検出手段と、あらかじめ記録媒体の種類ごとの引張力データを記憶しておくための記憶手段と、前記引張力検出手段の出力と前記記憶手段のデータとを比較し、搬送されている記録媒体の種類を識別する識別手段と、を備えたことを特徴とする記録媒体識別装置。
【請求項７】
前記搬送手段は少なくとも１対の搬送ローラからなり、前記摩擦部材は前記搬送ローラの前段に配置され、記録媒体が弧を描いて通過するように、記録媒体を一定力で押下するための弾力性部材に接続されたことを特徴とする前記請求項６に記載の記録媒体識別装置。
【請求項８】
前記摩擦部材の引張力を検出する引張力検出手段は、摩擦部材に連動するアクチュエータと、前記アクチュエータの引張力を検知する圧力センサからなることを特徴とする前記請求項６に記載の記録媒体識別装置。
【請求項９】
前記摩擦部材は記録媒体の識別を行わないときには、記録媒体に接触しないように離脱するための揺動手段を備えたことを特徴とする前記請求項６に記載の記録媒体識別装置。
【請求項１０】
前記搬送ローラを記録媒体先端が通過したことを検知する通過検知手段と、記録媒体先端が通過した後に記録媒体識別制御を開始する開始手段を備えることを特徴とする前記請求項６に記載の記録媒体識別装置。
【発明の詳細な説明】
【０００１】
【発明の属する技術分野】
本発明は，給送される記録媒体の表面粗さ、材質、弾力性に起因する搬送性の違いを検出し、種別の異なる記録媒体を識別する記録媒体識別装置に関するものである。
【０００２】
【従来技術】
従来、記録媒体の識別は、記録媒体近傍に光学式反射型センサもしくは光学式透過型センサを配置し、反射光もしくは透過光を読取ることによって行っていた。
【０００３】
【発明が解決しようとする課題】
しかしながら，上記従来例では記録媒体ごとの有意差を捉えにくく、普通紙とＯＨＰの識別程度しか行えなかった。そのため、その他の記録媒体を使用する場合はユーザーが設定をしなければならなかった。そしてその設定を行わなかったり、間違えたりすると正常に給送できずジャムがおきたり、正常な画像を得ることができなかったり、定着器に記録媒体が巻きついてしまったりするという問題点があった。
【０００４】
本発明は上記問題点を解決するためになされたもので、本発明に係る第１の発明〜第８の発明の目的は、記録媒体の表面粗さ、材質、弾力性に起因する搬送性の違いに基づき、所定量搬送したときの搬送ローラの回転角度を検出し、該検出した回転角度データと、予め記憶してある複数のデータとを比較して、安定にかつ多種類の記録媒体を識別することができる記録媒体識別装置を提供することである。
【０００５】
【課題を解決するための手段】
上記の課題を解決するため本発明に係る第１の発明は、記録媒体を搬送するための搬送手段と、搬送される記録媒体に接触し、記録媒体との摩擦力により移動する摩擦部材と、前記摩擦部材の移動量を検出する移動量検出手段と、あらかじめ記録媒体の種類ごとの移動量データを記憶しておくための記憶手段と、前記移動量検出手段の出力と前記記憶手段のデータとを比較し、搬送されている記録媒体の種類を識別する識別手段と、を備えたことを特徴とする記録媒体識別装置を提供する。
【０００６】
本発明に係る第２の発明は、前記搬送手段は少なくとも１対の搬送ローラからなり、前記摩擦部材は前記搬送ローラの前段に配置され、記録媒体が弧を描いて通過するように、記録媒体を一定力で押下するための弾力性部材に接続されたことを特徴とする記録媒体識別装置を提供する。
【０００７】
本発明に係る第３の発明は、前記摩擦部材の移動量を検出する移動量検出手段は、摩擦部材に連動するアクチュエータと、前記アクチュエータの移動量を検知する光学素子アレイからなることを特徴とする記録媒体識別装置を提供する。
【０００８】
本発明に係る第４の発明は、前記摩擦部材は記録媒体の識別を行わないときには、記録媒体に接触しないように離脱するための揺動手段を備えたことを特徴とする記録媒体識別装置を提供する。
【０００９】
本発明に係る第５の発明は、前記搬送ローラを記録媒体先端が通過したことを検知する通過検知手段と、記録媒体先端が通過した後に記録媒体識別制御を開始する開始手段を備えることを特徴とする記録媒体識別装置を提供する。
【００１０】
本発明に係る第６の発明は、記録媒体を搬送するための搬送手段と、搬送される記録媒体に接触し、記録媒体との摩擦力により引っ張られる摩擦部材と、前記摩擦部材が引っ張られる力を検出する引張力検出手段と、あらかじめ記録媒体の種類ごとの引張力データを記憶しておくための記憶手段と、前記引張力検出手段の出力と前記記憶手段のデータとを比較し、搬送されている記録媒体の種類を識別する識別手段と、を備えたことを特徴とする記録媒体識別装置を提供する。
【００１１】
本発明に係る第７の発明は、前記搬送手段は少なくとも１対の搬送ローラからなり、前記摩擦部材は前記搬送ローラの前段に配置され、記録媒体が弧を描いて通過するように、記録媒体を一定力で押下するための弾力性部材に接続されたことを特徴とする記録媒体識別装置を提供する。
【００１２】
本発明に係る第８の発明は、前記摩擦部材の引張力を検出する引張力検出手段は、摩擦部材に連動するアクチュエータと、前記アクチュエータの引張力を検知する圧力センサからなることを特徴とする記録媒体識別装置を提供する。
【００１３】
本発明に係る第９の発明は、前記摩擦部材は記録媒体の識別を行わないときには、記録媒体に接触しないように離脱するための揺動手段を備えたことを特徴とする記録媒体識別装置を提供する。
【００１４】
本発明に係る第１０の発明は、前記搬送ローラを記録媒体先端が通過したことを検知する通過検知手段と、記録媒体先端が通過した後に記録媒体識別制御を開始する開始手段を備えることを特徴とする記録媒体識別装置を提供する。
【００１５】
【発明の実施の形態】
（第１の実施例）
第１の実施例をＬＥＤアレイを露光系に用いた２値記録デジタルカラー複写機により説明する。
【００１６】
図３はデジタルカラー複写機の横断面概略図である。図３では上部にリーダ部，下部にプリンタ部を配置してある。
【００１７】
リーダ部：図３において１０１はＣＣＤ、３１１はＣＣＤ１０１の実装された基板、３１２は図４の画像処理部からＣＣＤ１０１を除いた部分及び図５の２０１・２０２〜２０５の部分を含む画像処理部、３０１は原稿台ガラス、３０２は原稿給紙装置（ＤＦ）（なお、この原稿給紙装置３０２の代わりに未図示の圧板を装着する構成もある）、３０３及び３０４は原稿を照明する光源（ハロゲンランプ又は蛍光灯）、３０５及び３０６は光源３０３・３０４の光を原稿に集光する反射傘、３０７〜３０９はミラー、３１０は原稿からの反射光又は投影光をＣＣＤ１０１上に集光するレンズ、３１４はハロゲンランプ３０３・３０４と反射傘３０５・３０６とミラー３０７を収容するキャリッジ、３１５はミラー３０８・３０９を収容するキャリッジ、３１３は図示しないプリンタドライバ等とのインターフェイス（Ｉ／Ｆ）部である。
【００１８】
なお、キャリッジ３１４は速度Ｖで、キャリッジ３１５は速度Ｖ／２で、ＣＣＤ１０１の電気的走査（主走査）方向に対して垂直方向に機械的に移動することによって、原稿の全面を走査（副走査）する。
【００１９】
図４はデジタル画像処理部３１２の詳細な構成を示すブロック図である。
【００２０】
原稿台ガラス上の原稿は光源３０３・３０４からの光を反射し、その反射光はＣＣＤ１０１に導かれて電気信号に変換される（ＣＣＤ１０１はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない）。
【００２１】
そして、その電気信号（アナログ画像信号）は画像処理部３１２に入力されクランプ＆Ａｍｐ．＆Ｓ／Ｈ＆Ａ／Ｄ部１０２でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのデジタル信号に変換される。そして、ＲＧＢ信号はシェーディング部１０３で、シェーディング補正及び黒補正が施された後、つなぎ＆ＭＴＦ補正＆原稿検知部１０４で、ＣＣＤ１０１が３ラインＣＣＤの場合、つなぎ処理はライン間の読取位置が異なるため、読取速度に応じてライン毎の遅延量を調整し、３ラインの読取位置が同じになるように信号タイミングを補正し、ＭＴＦ補正は読取速度や変倍率によって読取のＭＴＦが変るため、その変化を補正し、原稿検知は原稿台ガラス上の原稿を走査することにより原稿サイズを認識する。
【００２２】
読取位置タイミングが補正されたデジタル信号は入力マスキング部１０５によって、ＣＣＤ１０１の分光特性及び光源３０３・３０４及び反射傘３０５・３０６の分光特性を補正する。入力マスキング部１０５の出力は外部Ｉ／Ｆ信号との切り換え可能なセレクタ１０６に入力される。セレクタ１０６から出力された信号は色空間圧縮＆下地除去＆ＬＯＧ変換部１０７と下地除去部１１５に入力される。下地除去部１１５に入力された信号は下地除去された後、原稿中の原稿の黒い文字かどうかを判定する黒文字判定部１１６に入力され、原稿から黒文字信号を生成する。
【００２３】
また、もう一つのセレクタ１０６の出力が入力された色空間圧縮＆下地除去＆ＬＯＧ変換部１０７では、色空間圧縮は読み取った画像信号がプリンタで再現できる範囲に入っているかどうか判断し、入っている場合はそのまま、入っていない場合は画像信号をプリンタで再現できる範囲に入るように補正する。そして、下地除去処理を行い、ＬＯＧ変換でＲＧＢ信号からＣＭＹ信号に変換する。そして、黒文字判定部１１６で生成された信号とタイミングを補正するため色空間圧縮＆下地除去＆ＬＯＧ変換部１０７の出力信号は遅延１０８でタイミングを調整される。この２種類の信号はモワレ除去部１０９でモワレが除去され、１１０で、主走査方向に変倍処理される。
【００２４】
１１１はＵＣＲ＆マスキング＆黒文字反映部で、変倍処理部で処理されたＣＭＹ信号はＵＣＲ処理でＣＭＹＫ信号が生成され、マスキング処理部でプリンタの出力にあった信号に補正されると共に黒文字判定部１１６で生成された判定信号がＣＭＹＫ信号にフィードバックされる。ＵＣＲ＆マスキング＆黒文字反映部１１１で処理された信号はγ補正部１１２で濃度調整された後フィルタ部１１３でスムージング又はエッジ処理される。以上処理された信号は図５の２０１の２値変換部で８ビットの多値信号から２値信号に変換される（変換方法はディザ法・誤差拡散法・誤差拡散の改良したものいずれでも構わない。）。
【００２５】
プリンタ部の構成
図３において、３１７はＹ画像形成部、３１８はＭ画像形成部、３１９はＣ画像形成部、３２０はＫ画像形成部で、それぞれの構成は同一なのでＹ画像形成部３１７を詳細に説明し、他の画像形成部の説明は省略する。
【００２６】
Ｙ画像形成部３１７において、３４２は感光ドラムであり図示しない超音波モータにより駆動される。ＬＥＤアレイ２１０からの光によって、その表面に潜像が形成される。３２１は一次帯電気で、感光ドラム３４２の表面を所定の電位に帯電させ、潜像形成の準備をする。３２２は現像器で、感光ドラム３４２上の潜像を現像して、トナー画像を形成する。なお、現像器３２２には、現像バイアスを印加して現像するためのスリーブ３４５が含まれている。３２３は転写帯電気で、転写ベルト３３３の背面から放電を行い、感光ドラム３４２上のトナー画像を、転写ベルト３３３上の記録媒体へ転写する。本実施例は転写効率がよいため、クリーナ部が配置されていない（クリーナ部を装着しても問題ないことは言うまでもない。）。
【００２７】
次に、記録媒体の上へ画像を形成する手順を説明する。カセット３４０・３４１に格納された記録媒体等はピックアップローラ３３９・３３８により１枚毎給紙し後述する記録媒体識別部に給送される。記録媒体識別部により種別を識別された記録媒体は，レジストローラ３３６・３３７で斜行除去した後に転写ベルト３３３上に供給される。給紙された記録媒体は、吸着帯電器３４６で帯電させられる。３４８は転写ベルトローラで、転写ベルト３３３を駆動し、かつ、吸着帯電器３４６と対になって記録媒体を帯電させ、転写ベルト３３３に記録媒体を吸着させる。３４７は紙先端センサで、転写ベルト３３３上の記録媒体の先端を検知する。なお、紙先端センサの検出信号はプリンタ部からカラーリーダ部へ送られて、カラーリーダ部からプリンタ部にビデオ信号を送る際の副走査同期信号として用いられる。
【００２８】
この後、記録媒体は、転写ベルト３３３によって搬送され、画像形成部３１７〜３２０においてＹＭＣＫの順にその表面にトナー画像が形成される。Ｋ画像形成部３２０を通過した記録媒体は、転写ベルト３３３からの分離を容易にするため、除電帯電器３４９で除電された後、転写ベルト３３３から分離される。３５０は剥離帯電器で、記録媒体が転写ベルト３３３から分離する際の剥離放電による画像乱れを防止するものである。分離された記録媒体は、トナーの吸着力を補って画像乱れを防止するために、定着前帯電器３５１・３５２で帯電された後、定着器３３４でトナー画像が熱定着された後、３３５の排紙トレーに排紙される。
【００２９】
ＬＥＤ画像記録について説明する。図４及び図５の画像処理部で生成された２値のＹＭＣＫの画像信号は紙先端センサ３４７からの紙先端信号を基に，それぞれ遅延部２０２〜２０５によって紙先端センサとそれぞれの画像形成部との距離の違いを調整することにより４色を所定の位置に印字することが可能となる。ＬＥＤ駆動２０６〜２０９はＬＥＤ２１０〜２１３を駆動するための信号を生成する。
【００３０】
次に本発明で特徴的な記録媒体識別装置について説明する。
【００３１】
図３の４０６が記録媒体識別部でありレジストローラの直前に位置している。図１に記録媒体識別部の構成を示す。図３のピックアップローラ３３９・３３８から送られた記録媒体は、記録媒体ガイドやローラに導かれ、搬送ローラ４０１，４０２に至る。搬送ローラ４０２は駆動ローラであり、６分の１減速器４１１を介してモータ４１０により駆動される。モータ４１０はプリンタ全体の制御を司るプリンタコントローラ４０５に制御されるドライバ４０９により駆動される。搬送ローラ４０１，４０２の手前には摩擦部材４１２が設置されている。記録媒体先端が搬送ローラ４０１、４０２を通過するまでは摩擦部材４１２が記録媒体に接触しないように揺動制御される。摩擦部材４１２はアクチュエータ４１３とアクチュエータ４１３に取り付けられたバネ材４１７を介して、揺動部材４１５に取り付けられている。揺動部材４１５は摩擦部材４１２が記録媒体識別時に記録媒体に対し常に一定の力で押さえつけられるようにバネ材４１６を介して設置される。
【００３２】
さらに記録媒体識別時以外は記録媒体の搬送を妨げないように、図示しないソレノイド機構により離脱するよう構成される。摩擦部材４１２に連動するアクチュエータ４１３の移動量を検出するために、光学式ラインセンサ４１４が揺動部材４１５上に設置される。先端検出センサ４１８は光学式反射型センサで記録媒体の先端が搬送ローラ４０１，４０２を通過したことを検出するものである。光学式ラインセンサ４１４の出力信号は記録媒体識別制御部４０７に入力され、記録媒体の識別に使用される。記録媒体識別制御部により識別された記録媒体の種類に応じた画像形成制御を行うために、記録媒体の種類情報はプリンタコントローラに伝達される。
【００３３】
次に記録媒体識別部の一連の制御について図２により説明する。
【００３４】
プリントシーケンス開始と同時に記録媒体識別制御を開始しモータ４１０を回転させ、搬送ローラを回転する：５００。この時点ではピックアップローラ３３９・３３８から送られた記録媒体が通過しやすいように、摩擦部材４１２を図示しないソレノイドにより離脱（ＯＦＦ）させてある。記録媒体が搬送ローラ４０１、４０２を通過し先端検知センサ４１８に到達すると（５０１）、５０２で揺動部材を揺動させ摩擦部材を記録媒体に接触させる。摩擦部材は記録媒体との摩擦力により、記録媒体の搬送方向に引っ張られることとなる。このとき摩擦部材４１２に連動するアクチュエータ４１３も移動開始するので、アクチュエータ４１３の移動量を検出する光学式ラインセンサ４１４からの出力信号をサンプリングし始める：５０３。サンプリング周期は１００μｓとしている。
【００３５】
記録媒体と摩擦部材４１２との間の摩擦力が、バネ材４１７の弾性力に勝っている場合にはアクチュエータ４１３は搬送方向に移動し続ける。しかし摩擦力と弾性力が等しくなった位置をピークにアクチュエータの移動量は減少する。よってアクチュエータ移動量が前サンプリング時よりも小さくなったことを検出することで、前サンプリング値が移動量のピークであったことを検出することができる。
【００３６】
５０４では摩擦部材の最大移動距離を検出しているのである。５０５では前サンプリング値（ピーク値）を記録媒体識別制御部４０７内にあるレジスタに格納する。ここで揺動部材を離脱させ、記録媒体を通常搬送させる。５０７でレジスタ値と、予め記録媒体識別制御部内のメモリに記憶させていた各記録媒体に対応したアクチュエータの移動量データとを比較し、５０８で記録媒体の種別を決定する。決定された記録媒体の種別データはプリンタコントローラ４０５に転送される。プリンタコントローラ４０５は識別された記録媒体に最適なプロセススピード、高圧制御、定着制御、画像処理を選定し（５１０）、画像形成を行い（５１０）、５１１で制御を終了する。
【００３７】
本特許では搬送ローラ４０１と４０２の前段に摩擦部材４１２を配置している。また摩擦部材４１２が記録媒体に対し常に一定の圧力で接するようにばね材４１６を備える。このような構成にすることにより記録媒体の弾性力および表面粗さの違いを顕著に検出することが可能となる。図６で説明する。
【００３８】
図６の（ａ）は弾性力の高い記録媒体が搬送ローラを通過しているときの様子である。弾性力が高いため摩擦部材４１２は押し上げられている。それにより摩擦部材４１２に記録媒体が接する面積は小さくなりその内角はθ１である。次に弾性力の低い記録媒体のときには（ｂ）のようになり、摩擦部材４１２の位置は（ａ）に対し下がり、その結果、摩擦部材４１２に接する記録媒体の面積は広くなりその内角はθ２となる。ここでθ２＞θ１である。
【００３９】
このように記録媒体の弾性力の違いにより摩擦部材４１２と接する面積が変わり、摩擦部材４１２と記録媒体との間の摩擦力が変わる。よって、たとえ記録媒体表面の粗さ（摩擦部材４１２に対する摩擦係数）が同じもの同士でも、弾性力が高いものは摩擦部材４１２の移動量が小さく、また弾性力が低いものは移動量が大きくなるのである。
【００４０】
記録媒体の表面粗さおよび弾性力と、摩擦部材の移動量、予め記憶させる値（記録媒体の種類に対応した摩擦部材の移動量）の関係を図７に示す。ここでは例として普通紙、厚紙、ＯＨＰシートの３種を識別する場合について述べる。
【００４１】
普通紙は表面粗さが比較的大きく弾性力が小さいので、摩擦部材４１２に対する摩擦力は大きい。該複写機では普通紙の場合の摩擦部材の移動平均値は９ｍｍである。光学式ラインセンサ４１４は４００ｄｐｉのものを使用しているので、摩擦部材の移動量が９ｍｍのときは１４１番目の光学素子にアクチュエータが達するのである。この何番目の素子に到達するかという値を予め記憶させるのである。実際には環境変化、経時変化に加えマージンを考慮し普通紙の場合、１００〜２００としている。
【００４２】
同様に厚紙では４０〜１００、ＯＨＰでは０〜４０としている。これら予め記憶させる摩擦部材の移動量と実際の移動量とを比較することで、記録媒体の識別を行うことができる。予め記憶させる移動量は、摩擦部材４１２の摩擦係数、搬送ローラ４０１および４０２と摩擦部材４１２の位置関係、等に影響される値であるので、本特許採用時には各装置での検討を要する。また本特許では識別する記録媒体を３種として例をあげたが、より多い種類を識別できることはいうまでもない。
【００４３】
これまで述べたように記録媒体を自動的に識別し、記録媒体に応じた画像形成制御をおこなうことで、画質の向上、ユーザの利便性を図ることが可能となる。
【００４４】
（第２の実施例）
記録媒体と摩擦部材との間の摩擦力を第一の実施例では、摩擦部材の移動量により検出したが、第二の実施例は、摩擦部材に接続されたアクチュエータが、揺動部材上に固定された圧力センサを押す力を検出し記録媒体の識別をおこなうものである。
【００４５】
（第３の実施例）
本発明はデジタルカラーＬＥＤ複写機に限定されず，複数の記録媒体を使用する全ての画像形成装置に適用できる。
【００４６】
【発明の効果】
以上説明したように，本発明によれば，記録媒体固有の表面粗さ、材質、弾力性に起因する摩擦部材との摩擦力の違いを検出し、記録媒体を識別することができ、画質の向上、ユーザの利便性を図ることが可能となる。
【図面の簡単な説明】
【図１】本発明の特徴を最もよく表す構成図
【図２】本発明の第１の実施例に係る制御フローチャート
【図３】本発明の第１の実施例に係るデジタルカラー複写機の横断面図
【図４】本発明の第１の実施例に係るデジタルカラー複写機の画像処理フローチャート
【図５】本発明の第１の実施例に係るデジタルカラー複写機のＬＥＤ駆動ブロック図
【図６】本発明の第１の実施例に係る弾性力の違いによる記録媒体と摩擦部材の関係
【図７】本発明の第１の実施例に係る記録媒体と設定移動量の関係
【符号の説明】
３０１　原稿台ガラス
３０２　原稿給紙装置（ＤＦ）
３０３、３０４　光源
３０５、３０６　反射傘
【図１】
2004106952.tif 000003
【図２】
2004106952.tif 000004
【図３】
2004106952.tif 000005
【図４】
2004106952.tif 000006
【図５】
2004106952.tif 000007
【図６】
2004106952.tif 000008
【図７】
2004106952.tif 000009